(57)【要約】スイッチユニットは、利用者が、ある一定の場所に設置された負荷について、オン・オフスイッチ制御の実行を、その利用者がその負荷がある位置まで移動することなく、その負荷の制御状況を確認することを可能にする。そのスイッチユニットは、そのスイッチユニットの場所に設置されている各々の負荷にそれぞれ対応した複数のボタンを有し、スイッチ制御の対象となる負荷を直接的に選択するためのローカルスイッチ部と、ダイヤルの形状に構成されて、スイッチ制御の対象となる負荷を選択するための全体スイッチ部と、いくつかのＬＥＤを有し、各々の負荷のスイッチ制御状態を表示するための全体ディスプレイ部と、当該スイッチユニットの表面よりも若干埋没している、全ての負荷を全体的にスイッチするための全部オフスイッチと、遠隔操作装置信号を受信するための遠隔操作装置信号受信部とを有するものである。そのスイッチユニットは、前記全体スイッチ部の現在のダイヤル位置に対応する負荷を数字の記号で表示するためのＦＮＤディスプレイをさらに有している。これによって、電源は、容易に、便利に、効率的に、使用及び管理することが可能となり、その結果、大幅な節電効果及び利便が利用者に提供される。
2004515035.tif 000002
【特許請求の範囲】
【請求項１】
スイッチユニットであって：
当該スイッチユニットの場所に設置されている各々の負荷にそれぞれ対応した複数のボタンを有し、該複数のボタンのいずれかの一つを押圧することによって、スイッチ制御の対象となる負荷を直接的に選択するためのローカルスイッチ部；
スイッチ制御の対象となる負荷を選択するために、ダイヤルの形状に構成されて、該ダイヤルを左右方向に回転させて、選択された位置で該ダイヤルを押圧することによって、スイッチ制御を実行するための全体スイッチ部；
前記全体スイッチ部によってスイッチ制御される各々の負荷の前記スイッチ制御の状態を表示するための全体ディスプレイ部；
当該スイッチユニットの表面よりも若干埋没している、全ての負荷を全体的にスイッチするための全部オフスイッチ；及び
遠隔操作装置信号を受信するための遠隔操作装置信号受信部；
を有し、前記構成要素が当該スイッチユニットの外見を形成するところのスイッチユニット。
【請求項２】
請求項１記載のスイッチユニットであって、前記全体ディスプレイ部は、前記負荷に対応するいくつかのＬＥＤを有している、ところのスイッチユニット。
【請求項３】
請求項２記載のスイッチユニットであって、前記全体ディスプレイ部にある前記ＬＥＤは、前記全体スイッチ部の前記ダイヤルの周囲に配されている、ところのスイッチユニット装置。
【請求項４】
請求項２記載のスイッチユニットであって、前記全体ディスプレイ部にある前記ＬＥＤは、マトリックス状に配されている、ところのスイッチユニット装置。
【請求項５】
請求項１記載のスイッチユニットであって、前記全部オフスイッチは、該全部オフスイッチが所定時間継続的に押圧される場合にのみ機能する、ところのスイッチユニット。
【請求項６】
請求項１記載のスイッチユニットであって、前記全体スイッチ部における前記ダイヤルの現在の位置に対応した負荷の表示を数字で表示するためのＦＮＤディスプレイをさらに有する、ところのスイッチユニット。
【請求項７】
請求項６記載のスイッチユニットであって、前記ＦＮＤディスプレイは、前記全体スイッチ部における前記ダイヤルの現在の位置に対応した負荷番号の表示を数字で表示し、該負荷番号が表示されている状態で前記ダイヤルが押圧された場合には、オン・オフ表示によって記号的にオン・オフスイッチ状態を所定時間表示する、ところのスイッチユニット。
【請求項８】
請求項１記載のスイッチユニットであって、当該スイッチユニットは、
他の場所に設置されている負荷をスイッチ制御するため及び各々の場所のスイッチ制御の状態を監視するためのメイン制御スイッチ装置、及び、
ローカルスイッチ及び遠隔操作装置信号受信部と共に外見を形成し、各々の場所に設置された負荷のみについてスイッチ制御を実行するためのサブ制御スイッチ装置、として使用される、
ところのスイッチユニット。
【請求項９】
請求項８記載のスイッチユニットであって、前記メイン制御スイッチ装置は：
遠隔操作のための遠隔操作装置信号を受信するための遠隔操作装置信号受信部；
各スイッチ装置との間におけるオン・オフ制御及び制御状態の通信を実行するための通信部；
ローカル負荷の直接的にスイッチ制御を実行するためのローカルスイッチ部；
全体的に各々の負荷の発光状態を表示するための全体ディスプレイ部；
全体的に接続されている負荷のスイッチ制御を実行するための全体スイッチ部；
各々の負荷の内在的ＩＤを設定するためのＩＤ設定部；
前記ＩＤ設定部によって設定された各々の負荷の前記内在的ＩＤを蓄積するための記憶部；
全体的に負荷をオフにする全部オフ機能を実行するための全部オフスイッチ；
他の部屋で前記ローカル負荷におけるスイッチ制御及びスイッチ制御状態の確認をできなくさせるロック機能を実行するためのロックスイッチ；及び
各構成要素の操作を全体的に制御するためのＣＰＵを有している、ところのスイッチユニット。
【請求項１０】
請求項８記載のスイッチユニットであって、前記サブ制御スイッチ装置は：
遠隔操作のための遠隔操作装置信号を受信するための遠隔操作装置信号受信部；
各スイッチ装置との間におけるオン・オフ制御及び制御状態の通信を実行するための通信部；
ローカル負荷の直接的スイッチ制御を実行するためのローカルスイッチ部；
前記ローカル負荷の内在的ＩＤを設定するためのＩＤ設定部；
他の部屋で前記ローカル負荷におけるスイッチ制御及びスイッチ制御状態の確認をできなくさせるロック機能を実行するためのロックスイッチ；
前記ローカル負荷のスイッチ状態を表示するためのローカルディスプレイ部；及び
各構成要素の操作を全体的に制御するためのＣＰＵを有している、ところのスイッチユニット。
【請求項１１】
請求項８記載のスイッチユニットであって、当該スイッチユニットは、複数の前記メイン制御スイッチ装置及び複数の前記サブ制御スイッチ装置との通信接続を介して、単一のスイッチシステムを形成している、ところのスイッチユニット。
【請求項１２】
請求項１１記載のスイッチユニットであって、前記サブ制御スイッチ装置は、前記メイン制御スイッチ装置と同じシステム内の通信を通じて、前記メイン制御スイッチ装置の制御の下で操作される、ところのスイッチユニット。
【発明の詳細な説明】
【０００１】
〔技術分野〕
本発明は、利用者が、ある一定の場所に設置された負荷について、オン・オフスイッチ制御の実行を、その利用者がその負荷の位置まで移動することなく、その負荷の制御状況を確認することを可能にするスイッチユニットであって、特に、スイッチ制御の対象となるあらゆる種類の負荷に対して、オン・オフスイッチ制御及びオン・オフスイッチ制御の状況確認を可能とするスイッチユニットに関するものである。
【０００２】
〔従来技術〕
一般的に、電源を切り換えるためのスイッチとして、手動スイッチ又は遠隔操作装置を利用した遠隔操作スイッチが使用される。しかしながら、それら既存のスイッチの場合において、それらスイッチを操作するには、利用者は、それらスイッチが設置されている場所まで移動する必要があり、その利用者にとっては、極めて不便であった。
【０００３】
この既存の問題を解決する一つの従来技術として、１９９５年２月１６日に出願された大韓民国特許出願番号９５−２９５９において、「スイッチシステム」と称されたものが、本発明の発明者と同じ者によって提案されている。この従来技術では、相互に仕切られた複数の部屋のいずれかに所在する利用者は、他の部屋に設置された負荷を制御することができ、種々の負荷のオン・オフ状況を確認することができる。
【０００４】
〔発明の開示〕
上記問題を解決すべく、本発明は、スイッチシステムに接続されたあらゆる負荷について、オン・オフ操作及びオン・オフ状況の監視等の機能をより便利に実行することを可能にするように構成されたスイッチユニットを提供することを目的としている。
【０００５】
本発明の前記目的を達成するために、所在している場所に設置された各々の負荷にそれぞれ対応した複数のボタンを有し、該複数のボタンのいずれか一つを押すことによって、スイッチ制御の対象となる負荷を直接的に選択するためのローカルスイッチ部、スイッチ制御の対象となる負荷を選択するためにダイヤルの形状に構成されて、該ダイヤルを左右方向に回転させて、選択された位置で該ダイヤルを押圧することによって、スイッチ制御を実行するための全体スイッチ部、前記全体スイッチ部によってスイッチ制御される各々の負荷の前記スイッチ制御の状態を表示するための全体ディスプレイ部、当該スイッチユニットの表面よりも若干埋没している、全ての負荷を全体的にスイッチするための全部オフスイッチ、及び遠隔操作装置信号を受信するための遠隔操作装置信号受信部を有するスイッチユニットが提供されている。
【０００６】
好ましくは、それら構成要素は、前記スイッチユニットの外見を形成する。
【０００７】
〔発明を実施するためのベストモード〕
本発明の前記目的及び他の利益は、本発明の実施の形態を、添付の図面に参照しながら、より詳細に説明することによって、より明らかになる。
【０００８】
本発明の好まれる実施の形態について、図面を参照しつつ、以下詳細に説明する。
【０００９】
図１Ａで示されているスイッチユニットは、スイッチユニットの場所に設置されている各々の負荷にそれぞれ対応した複数のボタンを有し、該複数のボタンのいずれかのボタンを押圧することによって、ある負荷のスイッチ制御を直接的に選択するためのローカルスイッチ部１１を含んでいる。図１Ａで示されているように、前記ローカルスイッチ部１１は、当該スイッチユニットの最上の部分に位置する。全ての負荷の中からスイッチ制御の対象となる負荷を選択するための全体スイッチ部１３は、前記ローカルスイッチ部１１の下部に位置する。ここにおいては、前記全体スイッチ部１３は、ダイヤルの形状で構成されている。よって、このダイヤル形状の全体スイッチ部１３が、左右のいずれかの方向に回転可能であることから、利用者は、上昇的又は下降的な順序をもって順番的な設定を確立することができる。即ち、仮に、第１から第２３までの負荷が存在することとすると、これら負荷は、第１の負荷から第２３の負荷まで上昇的な順序、或いは、第２３の負荷から第１の負荷まで下降的な順序で設定されることが可能となることから、設定の操作が容易になり、また、設定時間が削減される。ＦＮＤ（Ｍｕｌｔｉｓｅｇｍｅｎｔｅｄ ＬＥＤ Ｄｉｓｐｌａｙ、多重素子ＬＥＤディスプレイ）ディスプレイ１６は、前記ローカルスイッチ部１１と前記全体スイッチ部１３との間に配され、そこにおいて、前記全体スイッチ部１３のダイヤルスイッチの現在の位置に対応した負荷が数字として表示される。
【００１０】
全体スイッチ部によってスイッチ制御される各負荷のスイッチ制御状態を表示するための複数のＬＥＤ（ｌｉｇｈｔ ｅｍｉｔｔｉｎｇ ｄｅｖｉｃｅ）を有する全体ディスプレイ装置１２は、全体スイッチ部１３のダイヤルの周囲に配されている。図１Ａに示されているスイッチユニットにおいて、負荷を全体的にオフにするための全部オフスイッチ１５及び遠隔操作装置信号を受信するための遠隔操作装置信号受信部１４は、そのスイッチユニットの下部に配されている。前記スイッチユニットは、好ましくは、居間又は客間でメイン制御スイッチ装置１０として使用される。図１Ａに示されているスイッチユニットの一部の機能について、削除又は削減することも可能であり、図１Ｂで示されているように、ローカルの負荷をスイッチするためのローカルスイッチスイッチ２１及び遠隔操作装置信号を受信するための遠隔操作装置信号受信部２２を有するサブ制御スイッチ装置２１を構成することが可能である。
【００１１】
一方、図１Ａのスイッチユニットを変更した実施の形態が図２に示されている。図２に示されているスイッチユニットにおいて、図１Ａのスイッチユニットの構成要素と同様のものについては同じ番号が適用される。図１Ａのスイッチユニットにおける前記全体スイッチ部１３のダイヤルにＬＥＤを配した前記全体ディスプレイ部１２に代わって、図２のスイッチユニットは、マトリックス状に配された全体ディスプレイ部１７を有している。外見が図２のように示されているスイッチユニットの内部構造は、図３Ａ及び図３Ｂそれぞれによって示されている。
【００１２】
図３Ａ及び図３Ｂは、それぞれ本発明の実施の形態によるスイッチユニットの内部構造を示すブロック図である。図３Ａに示されているスイッチユニットは、図１又は図２に示された外見を有するメイン制御スイッチ装置１０であって、ローカルの負荷を直接的にスイッチ制御するためのローカルスイッチ部１１を有するものである。全体ディスプレイ部１２又は１７は、各負荷の発光状態を表示するための複数のＬＥＤで構成されている。図３Ａのスイッチユニットは、負荷全体のスイッチ操作の設定をするための全体スイッチ部１３、遠隔操作装置信号を受信するための遠隔操作装置信号受信部１４、及び全ての負荷を同時にオフにスイッチするための全部オフスイッチ１５を含んでいる。識別（ＩＤ）設定部１９は、各負荷に対して内在的ＩＤを設定する。記憶装置３１は、設定がされた各負荷についての前記内在的ＩＤを蓄積する。一方、図３Ａのスイッチユニットは、全体スイッチ部１３のダイヤルの現在の位置に対応する負荷を数字で表示するためのＦＮＤディスプレイ１６、ある部屋が他の部屋によってローカルの負荷がスイッチ制御されること及び状態監視されることを防止するためのロック機能を有したスイッチ１８、及び他の部屋のスイッチ装置と通信するための通信部３３を含んでいる。中央制御装置（ＣＰＵ）は、各構成要素の操作を全体的に制御する。前記ＣＰＵは、それら負荷のスイッチ状態を一時的に確認するための確認モードスイッチ３４を有している。上記構造を有した前記スイッチユニットの操作については、図４Ａ及び図４Ｂによって、詳細に説明する。
【００１３】
図３Ａにおいて、要求されている負荷を制御するための信号が遠隔操作装置（図示されていない）から付与された場合、遠隔操作装置信号受信部１４は、ＣＰＵ３０に対して、その付与された遠隔操作装置信号を出力する。前記ＣＰＵ３０は、その入力された遠隔操作装置信号を復号し、対応する負荷に対応して前記全体ディスプレイ部１２又は１７の複数のＬＥＤを駆動し、これによって、その負荷の作動状態が表示され、その対応する負荷のオン・オフスイッチ操作が制御される。もちろん、その対応する負荷が、利用者が不在である別の部屋に設けられた負荷である場合には、前記ＣＰＵ３０は、前記通信部３３を介して、対応する負荷が設置されている部屋のスイッチ装置でスイッチ制御を実行する。その対応する負荷が利用者が所在する部屋のローカル負荷である場合には、前記ＣＰＵ３０は、出力部３５を介して、その対応する負荷の電力源のオン・オフスイッチを行い、これによって、スイッチ制御を実行する。
【００１４】
また、利用者がローカル負荷を直接スイッチ制御することを希望する場合には、そのスイッチユニットに設けられたローカルスイッチ部１１のボタンであって、その負荷に対応するものが、直接押圧される。この場合、その押圧の信号を受信する前記ＣＰＵ３０は、その負荷に対応して、前記全体ディスプレイ部１２又は１７のＬＥＤを駆動し、これによって、その負荷の作動状況が表示され、接続された前記出力部３５を通じて、そのローカル負荷のスイッチ制御が実行される。
【００１５】
ところで、接続されているいくつかの負荷の中から操作の対象となる負荷を選択するために、利用者が前記全体スイッチ部１３を操作する場合には、その利用者は、図１Ａ又は図２に示されているようなダイヤルの形状の前記全体スイッチ部１３を回転させ、希望の負荷を設定する。利用者がそのダイヤルを回転する場合において、そのダイヤルの周囲に配された前記全体ディスプレイ部１２又は１７の対応するＬＥＤは、そのダイヤルの回転方向に従って、順次に、オン・オフと点灯する。そのダイヤルの回転を止めた後においてそのダイヤルが押圧された場合、その負荷に対応する発光状態、即ち、対応する部屋は、反転する。いくつかの負荷については、前記全体スイッチ部１３に対して設定することが可能である。前記ＣＰＵ３０は、上述したように前記全体スイッチ部１３に設定されたそれらの負荷のスイッチを制御する。全ての接続されている負荷がオフにスイッチされる場合には、前記全部オフスイッチ１５が操作される。該全部オフスイッチ１５からの信号を受信した前記ＣＰＵ３０は、接続されている全ての負荷の電源をオフにするスイッチ制御を実行し、同時に、スイッチ状態を示すべく、前記全体ディスプレイ部１２又は１７上の前記ＬＥＤ全てをオフにする。ここでは、全部オフスイッチ１５は、図１Ａに示されているように若干埋没しており、また、子供によるいたずらを防止するために、継続的に、所定の時間、例えば、三秒間押圧されなければ、作動しないように設計されている。更に、他の部屋で対応する負荷のスイッチ状況が確認し得ないように、そのスイッチユニットが設計されている場合には、前記ロックスイッチ１８が操作される。該ロックスイッチ１８から信号を受信した前記ＣＰＵ３０は、他の部屋でローカル負荷のスイッチ状態を確認し得ないようにそのローカルの負荷をロックする。もちろん、もし、そのロックスイッチ１８がオンになっている場合には、他の部屋でそのローカル負荷のスイッチ制御の実行はできないが、ローカルスイッチ部又は遠隔操作装置によってスイッチ制御を行うことは可能である。また、もし、利用者が、確認モードスイッチ３４を押圧した場合には、該確認モードスイッチ３４から信号を受信したＣＰＵ３０は、前記全体ディスプレイ部１２又は１７上のＬＥＤを駆動することによって現在のスイッチ状態を所定の時間表示させ、その利用者は、それを確認し、そして、それらＬＥＤがオフにされる。ここでは、そのロックされた負荷は、前記全体ディスプレイ部１２又は１７に表示されていない。
【００１６】
一方、前記スイッチユニットは、更に、ＦＮＤディスプレイ１６を含んでいる。これによって、全体スイッチ部１３の場合の対応するＬＥＤはオンにスイッチすることが可能となり、数字をもって負荷の番号の表示が可能となり、この結果、利用者は、暗い状況下においても負荷の番号を容易に発見することができる。例えば、もし、前記全体スイッチ部１３のダイヤルの現在の位置に対応する負荷が数字の「２」で表されている負荷である場合には、前記ＦＮＤディスプレイ１６には、「２」という数字が表示される。かかる状態で、もし、ある負荷を設定するために前記全体スイッチ部１３のダイヤルが押圧された場合には、図４Ａに示されているように、約三秒間、オン状態表示が記号的に前記ＦＮＤディスプレイ１６に表示されて、その後、消灯する。反対に、オフ状態の場合においては、図４Ｂに示されているように、オフ状態表示が記号的に表示される。
【００１７】
上記構造は、単一のユニットとして構成されており、そして、いくつかの装置がスイッチシステムを構成することになっている。該システムにおいて、各装置の間で同じ信号が、通信部３３を介して、伝達可能である。また、上記構造は、図１Ｂに示されているサブ制御スイッチ装置２０として適用できるように、図３Ｂが示すように簡略化されている。即ち、該サブ制御スイッチ装置２０は、前記ローカル負荷のみについて、ローカルスイッチ部２１又は遠隔操作装置信号を受信する遠隔操作装置信号受信部２２を介して、スイッチを制御し、また、利用者がスイッチ制御状態を確認し得るようにＬＥＤで構成されたローカルディスプレイ部２５を制御する。前記サブ制御スイッチ装置２０は、該サブ制御スイッチ装置２０が設置された場所に所在する利用者の部屋のローカル負荷について、ディップスイッチとして形成されたＩＤ設定部２６を介して、内在的ＩＤを設定するものである。また、前記サブ制御スイッチ装置２０は、前記通信部２３を通じて、前記メイン制御スイッチ装置１０にある通信部３３と通信し、これによって、メイン制御スイッチ装置１０の制御の下での操作が可能となる。
【００１８】
以上のように、本発明のスイッチユニットは、いかなる場所においても要求される負荷を快適な設定及び制御を図るものであり、また、それぞれの負荷のオン・オフ状態の容易な監視を可能にするものであり、これによって、効率的な電源の使用及び管理を実現し、その結果として、電源の大幅な節約効果及び利用者に対する様々な便益が提供される。
【００１９】
〔産業上利用性〕
以上のように、本発明のスイッチユニットは、室内照明灯、種々の電気及び電子器具、家庭用自動化システム、警報システムについての電源のオン・オフスイッチを行うためのスイッチとして広く利用できる。
【図面の簡単な説明】
【図１Ａ】
本発明の実施の形態によるスイッチユニットの外見を示すものである。
【図１Ｂ】
本発明の実施の形態によるスイッチユニットの外見を示すものである。
【図２】
本発明の他の実施の形態によるスイッチユニットの外見を示すものである。
【図３Ａ】
本発明の実施の形態によるスイッチユニットの内部の構造を示すブロック図である。
【図３Ｂ】
本発明の実施の形態によるスイッチユニットの内部の構造を示すブロック図である。
【図４Ａ】
図３ＡのＦＮＤディスプレイについての表示状態を示すものである。
【図４Ｂ】
図３ＡのＦＮＤディスプレイについての表示状態を示すものである。
【図３Ａ】
2004515035.tif 000003
【図３Ｂ】
2004515035.tif 000004
【国際公開パンフレット】
2004515035.tif 000005
2004515035.tif 000006
2004515035.tif 000007
2004515035.tif 000008
2004515035.tif 000009
2004515035.tif 000010
2004515035.tif 000011
2004515035.tif 000012
2004515035.tif 000013
2004515035.tif 000014
2004515035.tif 000015
2004515035.tif 000016
2004515035.tif 000017
2004515035.tif 000018
2004515035.tif 000019
【手続補正書】
【提出日】平成15年1月6日(2003.1.6)
【手続補正１】
【補正対象書類名】明細書
【補正対象項目名】特許請求の範囲
【補正方法】変更
【補正の内容】
【特許請求の範囲】
【請求項１】
スイッチユニットであって：
他の場所に設置されている負荷をスイッチ制御するため及び各々の場所のスイッチ制御の状態を監視するためのメイン制御スイッチ装置；並びに
各々の場所に設置された負荷のみについてスイッチ制御を実行するためのサブ制御スイッチ装置；
を有し、
前記メイン制御スイッチ装置は：
当該メイン制御スイッチ装置の場所に設置されている各々の負荷にそれぞれ対応した複数のボタンを有し、該複数のボタンのいずれか一つを押圧することによって、スイッチ制御の対象となる負荷を直接的に選択するためのローカルスイッチ部；
スイッチ制御の対象となる負荷を選択するためにダイヤルの形状に構成されて、該ダイヤルを左右方向に回転させて、選択された位置で該ダイヤルを押圧することによって、スイッチ制御するための全体スイッチ部；
前記全体スイッチ部によってスイッチ制御される各々の負荷の前記スイッチ制御の状態を表示するための全体ディスプレイ部；
前記全体スイッチ部における前記ダイヤルの現在の位置に対応した負荷の表示を数字で表示するためのＦＮＤディスプレイ；
前記スイッチユニットの表面よりも若干埋没している、全ての負荷を全体的にスイッチするための全部オフスイッチ；及び
遠隔操作するために遠隔操作装置信号を受信するための遠隔操作装置信号受信部；を有し、かつ
前記サブ制御スイッチ装置は：
当該サブ制御スイッチ装置の場所に設置されている各々の負荷にそれぞれ対応した複数のボタンを有し、該複数のボタンのいずれかのボタンを押圧することによって、スイッチ制御の対象となる負荷を直接的に選択するためのローカルスイッチ部；及び
遠隔操作するために遠隔操作装置信号を受信するための遠隔操作装置信号受信部；を有する
ことを特徴とし、前記構成要素が当該スイッチユニットの外見を形成するところのスイッチユニット。
【請求項２】
請求項１記載のスイッチユニットであって、前記全体ディスプレイ部は、前記負荷に対応するいくつかのＬＥＤを有している、ところのスイッチユニット。
【請求項３】
請求項２記載のスイッチユニットであって、前記全体ディスプレイ部にある前記ＬＥＤは、前記全体スイッチ部の前記ダイヤルの周囲に配されている、ところのスイッチユニット。
【請求項４】
請求項２記載のスイッチユニットであって、前記全体ディスプレイ部にあるＬＥＤは、マトリックス状に配されている、ところのスイッチユニット。
【請求項５】
請求項１記載のスイッチユニットであって、前記全部オフスイッチは、該全部オフスイッチが所定時間継続的に押圧される場合にのみ機能する、ところのスイッチユニット。
【請求項６】
請求項１記載のスイッチユニットであって、前記ＦＮＤディスプレイは、前記全体スイッチ部における前記ダイヤルの現在の位置に対応した負荷番号の表示を数字で表示し、該負荷番号が表示されている状態で前記ダイヤルが押圧された場合には、オン・オフ表示によって記号的にオン・オフスイッチ状態を所定時間表示する、ところのスイッチユニット。
【請求項７】
請求項１記載のスイッチユニットであって、前記メイン制御スイッチ装置は：
前記スイッチ装置それぞれとの間におけるオン・オフ制御及び制御状態の通信を実行するための通信部；
各々の負荷の内在的ＩＤを設定するためのＩＤ設定部；
前記ＩＤ設定部によって設定された各々の負荷の前記内在的ＩＤを蓄積するための記憶部；
他の部屋で前記ローカル負荷におけるスイッチ制御及びスイッチ制御状態の確認をできなくさせるロック機能を実行するためのロックスイッチ部；並びに
各構成要素の操作を全体的に制御するためのＣＰＵを有している、ところのスイッチユニット。
【請求項８】
請求項１記載のスイッチユニットであって、前記サブ制御スイッチ装置は：
前記スイッチ装置それぞれとの間におけるオン・オフ制御及び制御状態の通信を実行するための通信部；
前記ローカル負荷の内在的ＩＤを設定するためのＩＤ設定部；
他の部屋で前記ローカル負荷におけるスイッチ制御及びスイッチ制御状態の確認をできなくさせるロック機能を実行するためのロックスイッチ；
前記ローカル負荷のスイッチ状態を表示するためのローカルディスプレイ部；及び
各構成要素の操作を全体的に制御するためのＣＰＵを有している、ところのスイッチユニット。
【請求項９】
請求項１記載のスイッチユニットであって、当該スイッチユニットは、複数の前記メイン制御スイッチ装置及び複数の前記サブ制御スイッチ装置との通信接続を介して、単一のスイッチシステムを形成している、ところのスイッチユニット。
【請求項１０】
請求項９記載のスイッチユニットであって、前記サブ制御スイッチ装置は、前記メイン制御スイッチ装置と同じシステム内の通信を通じて、前記メイン制御スイッチ装置の制御の下で操作される、ところのスイッチユニット。
【国際調査報告】
2004515035.tif 000020